(57)【要約】【課題】端子台４の固定強度の向上を図る。【解決手段】表示装置１は、光源ブロック２と、光源ブロック２を点灯させる点灯回路ブロック３と、端子台４とを備える。表示装置１は、少なくとも前面の一部に開口部を有し、光源ブロック２、点灯回路ブロック３及び端子台４を収容する筐体６と、開口部を閉塞するように筐体６に取り付けられ、光源ブロック２から放射される光によって照明される表示体５とを備える。端子台４は、１つ以上の突部４２を有する。筐体６は、突部４２が引っ掛けられることで端子台４を支持するように構成されている取付部（第１取付部９３及び第２取付部９４）を備える。【選択図】        図７
2018129151.tif 000002
【特許請求の範囲】
【請求項１】
光源と、
前記光源を点灯させる点灯回路ブロックと、
端子台と、
少なくとも前面の一部に開口部を有し、前記光源、前記点灯回路ブロック及び前記端子台を収容する筐体と、
前記開口部を閉塞するように前記筐体に取り付けられ、前記光源から放射される光によって照明される表示体と
を備え、
前記端子台は、１つ以上の突部を有し、
前記筐体は、前記突部が引っ掛けられることで前記端子台を支持するように構成されている取付部を備える
ことを特徴とする表示装置。
【請求項２】
前記筐体は、
前後方向に沿って前記開口部と対向する底壁を有し、
前記取付部は、
前記筐体の前後方向に沿って前記底壁に対向する第１対向片及び第２対向片を有し、
前記前後方向に沿った前記底壁から前記第１対向片までの距離を、前記前後方向に沿った前記底壁から前記第２対向片までの距離よりも大きくし、
前記第１対向片と前記底壁の間に挿入される前記突部を、前記第２対向片に引っ掛けて支持するように構成されている
ことを特徴とする請求項１記載の表示装置。
【請求項３】
前記筐体は、
前後方向に沿って前記開口部と対向する底壁を有し、
前記底壁は、少なくとも一部が金属製の板材で構成されており、
前記取付部は、前記金属製の板材と一体に構成されている
ことを特徴とする請求項１又は２記載の表示装置。
【請求項４】
前記端子台は、前記点灯回路ブロックに設けられた第１コネクタと電気的に接続される第２コネクタを有し、
前記第２コネクタは、前記端子台が前記取付部に取り付けられている状態で前記第１コネクタと電気的に接続される
ことを特徴とする請求項１〜３のいずれか１項に記載の表示装置。
【請求項５】
前記表示体は、建物の避難口又は前記避難口への通路を表示するように構成されている
ことを特徴とする請求項１〜４のいずれか１項に記載の表示装置。
【発明の詳細な説明】
【技術分野】
【０００１】
本発明は、表示装置に関し、より詳細には、電源線が電気的に接続される端子台を備えた表示装置に関する。
【背景技術】
【０００２】
従来の表示装置として、たとえば、特許文献１記載の誘導灯を例示する。誘導灯は、火災などの災害発生による停電の際に避難口又はそれへの通路を表示するための表示装置である。
【０００３】
特許文献１記載の誘導灯は、厚み方向に薄型で正面側が開口された箱状の誘導灯本体と、誘導灯本体の正面側に着脱可能に取り付けられる表示ユニットと、誘導灯本体内の上部側に着脱可能に取り付けられる光源ユニットとを備える。また、この誘導灯は、バッテリと、電源線が電気的に接続される端子台と、誘導灯本体内に着脱可能に取り付けられる点灯ユニットとを備える。なお、バッテリと端子台は、点灯ユニットに着脱可能に取り付けられる。
【０００４】
点灯ユニットは、端子台を介して通常電源（商用電源）から供給される電力でバッテリを充電し、かつ、通常電源から供給される電力で光源ユニットを点灯するとともに、通常電源の停電時には、バッテリから供給される電力で光源ユニットを点灯する。
【０００５】
端子台は、箱状の端子台本体を有している。端子台本体の上面に複数の電源線挿入孔が形成されている。端子台本体内には、電源線挿入孔に挿入される電源線と電気的に接続されるとともに電源線を機械的に保持する自己鎖錠形の端子片が配置されている。端子台本体の両側面には、点灯ユニットのケースに設けられている係止段部に係止する係止爪が設けられている。
【０００６】
特許文献１記載の誘導灯の施工作業において、作業者は、点灯ユニットから端子台を取り外した後、誘導灯本体内に引き込んだ電源線を端子台に結線し、結線済みの端子台を点灯ユニットに取り付ける。つまり、作業者は、誘導灯本体内の狭い空間で電源線の結線作業を行う必要がない。
【先行技術文献】
【特許文献】
【０００７】
【特許文献１】特開２００８−１０３１２４号公報
【発明の概要】
【発明が解決しようとする課題】
【０００８】
ところで、特許文献１記載の従来例のように、端子台が点灯ユニット（のケース）に係止される構造では、電源線に加わる張力に対抗するために端子台の係止爪と点灯ユニットの係止段部の係止力（端子台の固定強度）を上げることが困難であった。
【０００９】
本発明の目的は、端子台の固定強度の向上を図ることができる表示装置を提供することである。
【課題を解決するための手段】
【００１０】
本発明の一態様に係る表示装置は、光源と、前記光源を点灯させる点灯回路ブロックと、端子台と、少なくとも前面の一部に開口部を有し、前記光源、前記点灯回路ブロック及び前記端子台を収容する筐体とを備える。表示装置は、前記開口部を閉塞するように前記筐体に取り付けられ、前記光源から放射される光によって照明される表示体を備える。前記端子台は、１つ以上の突部を有する。前記筐体は、前記突部が引っ掛けられることで前記端子台を支持するように構成されている取付部を備える。
【発明の効果】
【００１１】
本発明の表示装置は、端子台の固定強度の向上を図ることができるという効果がある。
【図面の簡単な説明】
【００１２】
【図１】図１は、本発明の一実施形態に係る表示装置の斜視図である。
【図２】図２は、同上の表示装置の表示体を外した状態の斜視図である。
【図３】図３は、同上の表示装置の筐体の斜視図である。
【図４】図４は、同上の表示装置の点灯回路ブロックの斜視図である。
【図５】図５は、同上の表示装置の端子台の斜視図である。
【図６】図６は、同上の表示装置の表示体を省略した分解斜視図である。
【図７】図７は、同上の表示装置の表示体を省略した分解斜視図である。
【発明を実施するための形態】
【００１３】
以下、本発明の一実施形態に係る表示装置１について、図１〜図７を参照して詳細に説明する。表示装置１は、事務所や店舗などの建物の避難口又は避難口への通路に設置される誘導灯である（図１参照）。ただし、以下の実施形態で説明する構成は本発明の一例にすぎない。本発明は、以下の実施形態に限定されず、本発明の効果を奏することができれば、設計等に応じて種々の変更が可能である。したがって、表示装置は誘導灯に限定されない。
【００１４】
表示装置１は、図１及び図２に示すように、光源ブロック２と、点灯回路ブロック３と、端子台４と、表示体５と、筐体６と、電池ブロック７とを備えている。ただし、以下の説明においては、特に断りのない限り、図２において、表示装置１の前後、上下、左右の各方向を規定する。
【００１５】
筐体６は、図３に示すように、合成樹脂製の本体８と、金属製の取付板９とを有している。本体８は、前面に開口部を有する矩形の箱状に形成されている。本体８は、矩形の後壁８０と、後壁８０の上端から前方へ立ち上がる上側壁８１と、後壁８０の下端から前方へ立ち上がる下側壁８２と、後壁８０の左端から前方へ立ち上がる左側壁８３と、後壁８０の右端から前方へ立ち上がる右側壁８４とを有している。上側壁８１の長手方向（左右方向）のほぼ中央に、第１通線孔８５が開口している。また、後壁８０の左右方向の中央における上部に、２つの第２通線孔８６が上下方向に並ぶように開口している（図３参照）。
【００１６】
取付板９は、矩形の底板９０と、底板９０の下端から前方へ立ち上がる第１側板９１と、底板９０の左端における上下方向の中央付近から前方へ立ち上がる第２側板９２と、端子台４が取り付けられる取付部とを有している（図３参照）。底板９０、第１側板９１、第２側板９２及び取付部は、たとえば、亜鉛鋼板などの金属板によって一体に形成されることが好ましい。取付板９は、底板９０を後壁８０の前面に当てた状態において、ねじ止めなどの適宜の方法によって本体８に固定されている。底板９０の左右方向の中央における上部に、長円形の孔９００が貫通している。この孔９００を通して、後壁８０に設けられている２つの第２通線孔８６が底板９０の前方に露出している（図３参照）。第１側板９１及び第２側板９２には、それぞれ突起９１０、９２０が設けられている。
【００１７】
取付部は、第１取付部９３と第２取付部９４を有している。第１取付部９３は、筐体６の前後方向に沿って底壁（後壁８０及び底板９０）に対向する第１対向片９３１及び第２対向片９３２を有している。第１取付部９３は、更に、第１支持片９３３、第２支持片９３４、並びに連結片９３５を有している。第１対向片９３１及び第２対向片９３２は、矩形の平板状に形成されている。第１支持片９３３は、矩形の平板状に形成され、底板９０の前面から前方斜め下向きに突出している。第１支持片９３３の前端と第１対向片９３１の上端が繋がっている。つまり、第１対向片９３１は、第１支持片９３３を介して底板９０に支持されている。また、第２支持片９３４は、矩形の板をＶ字状に折り曲げた形状に形成され、底板９０の前面から前方斜め下向きに突出している。第２支持片９３４の前端と第２対向片９３２の上端及び左端が繋がっている。つまり、第２対向片９３２は、第２支持片９３４を介して底板９０に支持されている。ただし、前後方向に沿った底板９０から第１対向片９３１までの距離は、前後方向に沿った底板９０から第２対向片９３２までの距離よりも大きい（図３参照）。連結片９３５は、矩形の平板状に形成され、第１対向片９３１の左端と第２対向片９３２の右端を連結している。
【００１８】
第２取付部９４は、筐体６の前後方向に沿って底壁（後壁８０及び底板９０）に対向する第１対向片９４１及び第２対向片９４２を有している。第２取付部９４は、更に、第１支持片９４３、第２支持片９４４、並びに連結片９４５を有している。第１対向片９４１及び第２対向片９４２は、矩形の平板状に形成されている。第１支持片９４３は、矩形の平板状に形成され、底板９０の前面から前方斜め上向きに突出している。第１支持片９４３の前端と第１対向片９４１の下端が繋がっている。つまり、第１対向片９４１は、第１支持片９４３を介して底板９０に支持されている。また、第２支持片９４４は、矩形の板をＶ字状に折り曲げた形状に形成され、底板９０の前面から前方斜め上向きに突出している。第２支持片９４４の前端と第２対向片９４２の下端及び左端が繋がっている。つまり、第２対向片９４２は、第２支持片９４４を介して底板９０に支持されている。ただし、前後方向に沿った底板９０から第１対向片９４１までの距離は、前後方向に沿った底板９０から第２対向片９４２までの距離よりも大きい（図３参照）。連結片９４５は、矩形の平板状に形成され、第１対向片９４１の左端と第２対向片９４２の右端を連結している。ここで、第１取付部９３と第２取付部９４とは、互いの第１対向片９３１、９４１同士及び第２対向片９３２、９４２同士をそれぞれ上下方向に沿って向き合わせるように構成されている。また、底板９０から第１取付部９３の第１対向片９３１までの距離と、底板９０から第２取付部９４の第１対向片９４１までの距離とは等しい。同じく、底板９０から第１取付部９３の第２対向片９３２までの距離と、底板９０から第２取付部９４の第２対向片９４２までの距離とは等しい。
【００１９】
光源ブロック２は、図２に示すように、直方体形状の第１ケース２０と、第１ケース２０内に収容される光源とを有している。光源は、たとえば、複数個の発光ダイオードが長方形状の実装基板に実装された発光ダイオードモジュールである。ただし、光源は、発光ダイオードモジュールに限定されず、たとえば、冷陰極管放電ランプのような放電ランプでも構わない。光源ブロック２は、本体８の開口部の上部を覆う位置に取り付けられる。発光ダイオードモジュールから放射される光は、第１ケース２０の下面から下方に照射される。
【００２０】
表示体５は、アクリル樹脂又はポリカーボネート樹脂などの透光性を有する合成樹脂材料によって矩形の平板状に形成されている。表示体５の前面には、避難誘導のための図柄が印刷されている。表示体５は、本体８の開口部の下部、より詳細には、開口部における光源ブロック２から下側の部分を覆う位置に取り付けられる（図１参照）。光源ブロック２の発光ダイオードモジュールから放射される光は、表示体５の上端面から表示体５内に入射し、表示体５内を進行しながら表示体５の後面で全反射されて表示体５の前方へ出射する。
【００２１】
点灯回路ブロック３は、常用電源（商用電源）から供給される電力で電池ブロック７の蓄電池を充電する充電回路と、常用電源から供給される電力で光源ブロック２の光源（発光ダイオードモジュール）を点灯させる点灯回路とを備えている。点灯回路ブロック３は、更に、常用電源の停電時に電池ブロック７から供給（放電）される電力で光源ブロック２の光源を点灯させる非常点灯回路と、充電回路、点灯回路及び非常点灯回路を収容する箱形の第２ケース３０とを備えている。
【００２２】
点灯回路ブロック３は、図４に示すように、第１コネクタ３１、光源用コネクタ３２及び電池用コネクタ３３を有している。光源用コネクタ３２は、第２ケース３０の右上隅に配置され、電気ケーブルの一端に設けられているオス型のコネクタと電気的かつ機械的に接続される。この電気ケーブルの他端は、光源ブロック２の発光ダイオードモジュールと電気的に接続されている。つまり、点灯回路ブロック３は、光源用コネクタ３２において光源ブロック２と電気的に接続される。電池用コネクタ３３は、オス型のコネクタであって、電池ブロック７が備えるメス型のコネクタ（電池コネクタ７１）と電気的に接続される（図２及び図４参照）。第１コネクタ３１は、箱状のコネクタハウジング３１０を有している。コネクタハウジング３１０の前面に、複数（図示例では４つ）のＶ溝３１１が上下方向に等間隔に並ぶように形成されている（図４参照）。また、コネクタハウジング３１０の各Ｖ溝３１１の底に開口が設けられている。コネクタハウジング３１０内には、各Ｖ溝３１１と対応する位置に刃受が配置されている。これらの刃受は、点灯回路ブロック３の常用電源用の入力端子と電気的に接続されている。点灯回路ブロック３は、図２に示すように、本体８内の左右方向の中央から右側の空間に収容され、ねじ止めなどの適宜の方法によって取付板９に取り付けられている。
【００２３】
電池ブロック７は、概ね直方体状の電池ケース７０と、電池ケース７０内に収容される蓄電池とを備える（図２参照）。蓄電池は、たとえば、乾電池形のニッケル水素電池である。電池ケース７０内には、複数本の蓄電池が収容される。これら複数本の蓄電池は、導電板やリード線などの導体を介して電気的に接続されている。電池ブロック７は、更に、電池コネクタ７１を備える。電池コネクタ７１は、点灯回路ブロック３の電池用コネクタ３３と電気的に接続される。つまり、電池ブロック７の複数本の蓄電池は、電池コネクタ７１及び電池用コネクタ３３を介して、点灯回路ブロック３の充電回路の出力端子及び非常点灯回路の入力端子と電気的に接続される。電池ブロック７は、図２に示すように、本体８内の左下の空間に収容される。電池ブロック７は、取付板９の第１側板９１の突起９１０及び第２側板９２の突起９２０に電池ケース７０の前端を引っ掛けるようにして取付板９に取り付けられる。
【００２４】
端子台４は、図５及び図６に示すように、合成樹脂製の端子台ケース４０と、第２コネクタ４１と、一対の突部４２とを備えている。端子台ケース４０は、概ね箱形に形成されている。端子台ケース４０の前面には、三角柱状の２つの突台部４００が左右方向に並ぶように形成されている。各突台部４００の右側の斜面には、それぞれ電線挿入孔４０１が３つずつ設けられている（図６参照）。各電線挿入孔４０１は、端子台ケース４０の内部空間と繋がっている。端子台ケース４０の内部空間には、合計６つのねじなし端子（速結端子）が収容されている。これら６つのねじなし端子は、６つの電線挿入孔４０１とそれぞれ一対一に対向する位置に配置されている。すなわち、電源線の導体が各電線挿入孔４０１に挿入されると、それぞれの導体とねじなし端子が電気的かつ機械的に接続される。ただし、６つのねじなし端子（第１〜第６のねじなし端子）のうちの第１及び第２のねじなし端子は、第３〜第６のねじなし端子と電気的に絶縁されている。また、第１のねじなし端子と第２のねじなし端子も互いに電気的に絶縁されている。第３〜第６のねじなし端子は、第３及び第４のねじなし端子の組と、第５及び第６のねじなし端子の組とに分けられ、同じ組のねじなし端子同士が互いに電気的に接続され、かつ、異なる組のねじなし端子同士が電気的に絶縁されている。
【００２５】
第２コネクタ４１は、図５に示すように、複数（図示例では４つ）のコンタクト４１０と、これら４つのコンタクト（第１〜第４のコンタクト）４１０を支持するコンタクト支持部４１１とを有している。ただし、第１のコンタクト４１０は第１のねじなし端子と電気的に接続され、第２のコンタクト４１０は第２のねじなし端子と電気的に絶縁されている。また、第３のコンタクト４１０は、第３及び第４のねじなし端子と電気的に絶縁され、第４のコンタクト４１０は、第５及び第６のねじなし端子と電気的に絶縁されている。コンタクト支持部４１１は、端子台ケース４０の右側の前端から右方向に突出する矩形の板状に形成されている。コンタクト支持部４１１は、４つのコンタクト４１０を上下方向に沿って等間隔に並べた状態で支持するように構成されている（図５参照）。
【００２６】
一対の突部４２は、端子台ケース４０の上側の側面及び下側の側面から突出している。ただし、以下の説明においては、端子台ケース４０の上側の側面から突出する突部４２を上側突部４２Ａと呼び、端子台ケース４０の下側の側面から突出する突部４２を下側突部４２Ｂと呼ぶ場合がある。各突部４２（上側突部４２Ａ及び下側突部４２Ｂ）はそれぞれ、矩形の平板状の第１突片４３と、矩形の平板状の第２突片４４と、第１突片４３と第２突片４４を連結する連結片４５とを有している（図５参照）。ただし、前後方向に沿った端子台ケース４０の後面から第１突片４３までの距離は、前後方向に沿った端子台ケース４０の後面から第２突片４４までの距離よりも大きい（図５参照）。また、連結片４５は、矩形の平板状に形成され、第１突片４３の左端と第２突片４４の右端を連結している。端子台４は、一対の突部４２（上側突部４２Ａ及び下側突部４２Ｂ）を取付板９の取付部（第１取付部９３及び第２取付部９４）に引っ掛けるようにして取付板９に取り付けられる。
【００２７】
ここで、表示装置１の施工時においては、図７に示すように、筐体６（取付板９）の取付部（第１取付部９３及び第２取付部９４）から取り外された状態の端子台４に対して電源線１０が結線される。電源線１０は、表示装置１が天井に設置される場合、本体８の上側壁８１の第１通線孔８５から筐体６内に引き込まれる（図７参照）。なお、電源線１０は、表示装置１が壁に設置される場合、本体８の後壁８０の第２通線孔８６から筐体６内に引き込まれる。いずれの場合においても、作業者は、筐体６内の狭い空間ではなく、筐体６の外の広い空間で端子台４に対する電源線１０の結線作業を行うことができる。そして、電源線１０が結線された後の端子台４は、以下のような手順で取付部（第１取付部９３及び第２取付部９４）に取り付けられる。
【００２８】
作業者は、第１取付部９３の第１対向片９３１と底板９０の間に、第２突片４４の方から上側突部４２Ａを挿入するとともに、第２取付部９４の第１対向片９４１と底板９０の間に、第２突片４４の方から下側突部４２Ｂを挿入する。このとき、第１対向片９３１、９４１と底板９０の間の距離が第２対向片９３２、９４２と底板９０の間の距離よりも大きいので、作業者は、端子台４の右側を手前（前方）に傾けた状態で端子台４の突部４２を挿入することができる。そして、作業者は、上側突部４２Ａの第１突片４３を第１取付部９３の第１対向片９３１と底板９０の間に挿入し、下側突部４２Ｂの第１突片４３を第２取付部９４の第１対向片９４１と底板９０の間に挿入する。つまり、作業者は、下側突部４２Ｂの第１突片４３を第２取付部９４の第１対向片９４１に引っ掛け、下側突部４２Ｂの第２突片４４を第２取付部９４の第２対向片９４２に引っ掛ける。同じく、作業者は、上側突部４２Ａの第１突片４３を第１取付部９３の第１対向片９３１に引っ掛け、上側突部４２Ａの第２突片４４を第１取付部９３の第２対向片９３２に引っ掛ける。その結果、端子台４は、端子台４の一対の突部４２を取付部（第１取付部９３及び第２取付部９４）に取り付けることにより、筐体６に固定される（図２参照）。なお、端子台４の第２コネクタ４１の４つのコンタクト４１０は、点灯回路ブロック３の第１コネクタ３１の４つのＶ溝３１１のうちの対応する１つのＶ溝３１１にそれぞれ差し込まれる。これら４つのコンタクト４１０は、Ｖ溝３１１の底の開口からコネクタハウジング３１０内に進入して対応する刃受と電気的かつ機械的に接続される。
【００２９】
ここで、特許文献１記載の従来例のように、端子台が点灯ユニット（のケース）に係止される構造では、電源線に加わる張力に対抗するために端子台の係止爪と点灯ユニットの係止段部の係止力（端子台の固定強度）を上げることが困難であった。
【００３０】
これに対して本実施形態の表示装置１における端子台４は、点灯回路ブロック３（の第２ケース３０）ではなく、筐体６（の取付板９）に取り付けられている。筐体６は、そもそも点灯回路ブロック３や電池ブロック７などを収容しかつ支持するために、点灯回路ブロック３の第２ケース３０よりも強度を高くするように構成される。具体的には、筐体６は、合成樹脂製の本体８に金属製の取付板９を組み合わせることによって強度を高めている。そのため、表示装置１は、特許文献１記載の従来例と比較して、端子台４の固定強度の向上を図ることができる。特に、取付部（第１取付部９３及び第２取付部９４）が金属製の取付板９と一体に形成されていれば、端子台４の固定強度の更なる向上を図ることができる。
【００３１】
また、前後方向に沿った底板９０から第１対向片９３１、９４１までの距離が、前後方向に沿った底板９０から第２対向片９３２、９４２までの距離よりも大きい。そのため、端子台ケース４０の後面を底板９０の前面に対して傾けた状態で一対の突部４２を第１対向片９３１、９４１と底板９０の間に挿入することができる。その結果、端子台４を筐体６に取り付けるために必要な空間の削減を図ることができる。なお、筐体６から取り外された端子台４が落下することを防ぐため、筐体６と端子台４が落下防止用の紐で連結されることが好ましい。
【００３２】
上述のように表示装置１は、光源（光源ブロック２）と、光源ブロック２を点灯させる点灯回路ブロック３と、端子台４とを備える。また、表示装置１は、少なくとも前面の一部に開口部を有し、光源ブロック２、点灯回路ブロック３及び端子台４を収容する筐体６と、開口部を閉塞するように筐体６に取り付けられ、光源ブロック２から放射される光によって照明される表示体５とを備える。端子台４は、１つ以上の突部４２を有する。筐体６は、突部４２が引っ掛けられることで端子台４を支持するように構成されている取付部（第１取付部９３及び第２取付部９４）を備える。
【００３３】
表示装置１が上述のように構成されれば、特許文献１記載の従来例と比較して、端子台４の固定強度の向上を図ることができる。
【００３４】
また、表示装置１において、筐体６は、前後方向に沿って開口部と対向する底壁（後壁８０及び底板９０）を有することが好ましい。取付部は、筐体６の前後方向に沿って底壁に対向する第１対向片９３１、９４１及び第２対向片９３２、９４２を有することが好ましい。取付部は、前後方向に沿った底壁から第１対向片９３１、９４１までの距離を、前後方向に沿った底壁から第２対向片９３２、９４２までの距離よりも大きくすることが好ましい。取付部は、第１対向片９３１、９４１と底壁の間に挿入される（端子台４の）突部４２を、第２対向片９３２、９４２に引っ掛けて支持するように構成されていることが好ましい。
【００３５】
表示装置１が上述のように構成されれば、筐体６内の狭い空間においても端子台４を容易に筐体６の取付部に取り付けることができる。
【００３６】
表示装置１において、筐体６は、前後方向に沿って開口部と対向する底壁（後壁８０及び底板９０）を有することが好ましい。底壁は、少なくとも一部が金属製の板材（取付板９の底板９０）で構成されていることが好ましい。取付部は、金属製の板材（取付板９の底板９０）と一体に構成されていることが好ましい。
【００３７】
表示装置１が上述のように構成されれば、端子台４の固定強度の更なる向上を図ることができる。
【００３８】
表示装置１において、端子台４は、点灯回路ブロック３に設けられた第１コネクタ３１と電気的に接続される第２コネクタ４１を有することが好ましい。第２コネクタ４１は、端子台４が取付部に取り付けられている状態で第１コネクタ３１と電気的に接続されることが好ましい。
【００３９】
表示装置１が上述のように構成されれば、端子台４と点灯回路ブロック３との電気的な接続作業（結線作業）の簡素化を図ることができる。
【００４０】
表示装置１において、表示体５は、建物の避難口又は避難口への通路を表示するように構成されていることが好ましい。
【００４１】
表示装置１が上述のように構成されれば、施工作業の作業性が向上した誘導灯を提供することができる。
【符号の説明】
【００４２】
１  表示装置
２  光源ブロック（光源）
３  点灯回路ブロック
４  端子台
５  表示体
６  筐体
９  取付板
３１  第１コネクタ
４１  第２コネクタ
４２  突部
８０  後壁
９０  底板
９３  第１取付部（取付部）
９４  第２取付部（取付部）
９３１  第１対向片
９３２  第２対向片
９４１  第１対向片
９４２  第２対向片
【図１】
2018129151.tif 000003
【図２】
2018129151.tif 000004
【図３】
2018129151.tif 000005
【図４】
2018129151.tif 000006
【図５】
2018129151.tif 000007
【図６】
2018129151.tif 000008
【図７】
2018129151.tif 000009